(57)【要約】  本発明は、端末がＱＣＬグルーピング情報を決定するように、ＤＭＲＳポートのＱＣＬグルーピング情報を示すために、情報を指示および決定するための方法および装置ならびにコンピュータ可読記憶媒体を提供する。本発明の実施形態によって提供される情報を指示するための方法は、復調参考信号（ＤＭＲＳ）ポートのＱＣＬグルーピング情報を決定するステップと、前記ＱＣＬグルーピング情報を端末に通知するステップとを備える。
2021510275.tif 000002
【特許請求の範囲】
【請求項１】
復調参考信号（ＤＭＲＳ）ポートのＱＣＬ（Ｑｕａｓｉ−Ｃｏ−Ｌｏｃａｔｉｏｎ）グルーピング情報を決定するステップと、
前記ＱＣＬグルーピング情報を端末に通知するステップとを備えることを特徴とする情報を指示するための方法。
【請求項２】
前記ＤＭＲＳポートのＱＣＬグルーピング情報を決定することは、
使用可能なＤＭＲＳポート範囲を決定し、または使用可能なＤＭＲＳコード分割多重化（ＣＤＭ）グループの範囲を決定し、使用可能なＤＭＲＳポートのＱＣＬグルーピング情報を決定することを含み、
前記ＤＭＲＳ ＣＤＭグループはＤＭＲＳポートのＣＤＭグループであり、
前記ＱＣＬグルーピング情報を端末に通知することは、
ＤＭＲＳポートのＱＣＬグルーピング情報で端末を構成するか、またはＤＭＲＳポートのＱＣＬグルーピング情報を端末に通知することを含むことを特徴とする請求項１に記載の情報を指示するための方法。
【請求項３】
前記使用可能なＤＭＲＳポート範囲を決定することは、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定し、
スキーム１−ａ−２：ＤＭＲＳ構成タイプを満たす構成条件下でサポートされるすべてのＤＭＲＳポートとして、使用可能なＤＭＲＳポート範囲を決定し、
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定し、
スキーム１−ａ−４：上記いずれかのスキームで決定された使用可能なＤＭＲＳポート範囲から、使用可能なＤＭＲＳポート範囲として１つ以上のＤＭＲＳポートを選択することを特徴とする請求項２に記載の情報を指示するための方法。
【請求項４】
前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}であることを特徴とする請求項３に記載の情報を指示するための方法。
【請求項５】
前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}であることを特徴とする請求項３に記載の情報を指示するための方法。
【請求項６】
前記使用可能なＤＭＲＳ ＣＤＭグループの範囲を決定することは、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定することを特徴とする請求項２に記載の情報を指示するための方法。
【請求項７】
前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}であることを特徴とする請求項６に記載の情報を指示するための方法。
【請求項８】
前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}であることを特徴とする請求項６に記載の情報を指示するための方法。
【請求項９】
前記使用可能なＤＭＲＳポートのＱＣＬグルーピング情報を決定することは、
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割することを特徴とする請求項２から請求項８のいずれか一項に記載の情報を指示するための方法。
【請求項１０】
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項８のいずれか一項に記載の情報を指示するための方法。
【請求項１１】
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項８のいずれか一項に記載の情報を指示するための方法。
【請求項１２】
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項８のいずれか一項に記載の情報を指示するための方法。
【請求項１３】
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項８のいずれか一項に記載の情報を指示するための方法。
【請求項１４】
使用可能なＤＭＲＳ ＣＤＭグループに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項８のいずれか一項に記載の情報を指示するための方法。
【請求項１５】
使用可能なＤＭＲＳ ＣＤＭグループに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項８のいずれか一項に記載の情報を指示するための方法。
【請求項１６】
前記ＤＭＲＳポートのＱＣＬグルーピング情報で端末を構成するか、またはＤＭＲＳポートのＱＣＬグルーピング情報を端末に通知することは具体的に、
ＤＭＲＳポートの各ＱＣＬグルーピングに含まれるＤＭＲＳポートを構成または通知し、および/または、  
ＤＭＲＳポートの各ＱＣＬグルーピングに含まれるＤＭＲＳ ＣＤＭグループを構成または通知することを含むことを特徴とする請求項２に記載の情報を指示するための方法。
【請求項１７】
ネットワーク側から送信された通知を受信するステップと、
前記通知を使用して復調参考信号（ＤＭＲＳ）ポートのＱＣＬ（Ｑｕａｓｉ−Ｃｏ−Ｌｏｃａｔｉｏｎ）グルーピング情報を決定するステップとを備えることを特徴とする情報を決定するための方法。
【請求項１８】
前記ＤＭＲＳポートのＱＣＬグルーピング情報は、
ＤＭＲＳポートの各ＱＣＬグルーピングに含まれるＤＭＲＳポート、および/または、ＤＭＲＳポートの各ＱＣＬグルーピングに含まれるＤＭＲＳ ＣＤＭグループを含むことを特徴とする請求項１７に記載の情報を決定するための方法。
【請求項１９】
メモリと、プロセッサとを備え、前記メモリはプログラム命令を格納するように構成され、
前記プロセッサは、前記メモリに格納されたプログラム命令を呼び出して、復調参考信号（ＤＭＲＳ）ポートのＱＣＬグルーピング情報を決定し、
前記ＱＣＬグルーピング情報を端末に通知することを特徴とする情報を指示するための装置。
【請求項２０】
ＤＭＲＳポートのＱＣＬグルーピング情報を決定する場合、前記プロセッサは、
使用可能なＤＭＲＳポート範囲を決定し、または使用可能なＤＭＲＳコード分割多重化（ＣＤＭ）グループの範囲を決定し、使用可能なＤＭＲＳポートのＱＣＬグルーピング情報を決定し、前記ＤＭＲＳ ＣＤＭグループはＤＭＲＳポートのＣＤＭグループであり、
前記ＱＣＬグルーピング情報を端末に通知する場合、前記プロセッサは、
ＤＭＲＳポートのＱＣＬグルーピング情報で端末を構成するか、またはＤＭＲＳポートのＱＣＬグルーピング情報を端末に通知することを特徴とする請求項１９に記載の情報を指示するための装置。
【請求項２１】
前記プロセッサは、
使用可能なＤＭＲＳポート範囲を決定することは、以下のスキームのうちの１つを含み、
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定し、
スキーム１−ａ−２：ＤＭＲＳ構成タイプを満たす構成条件下でサポートされるすべてのＤＭＲＳポートとして、使用可能なＤＭＲＳポート範囲を決定し、
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定し、
スキーム１−ａ−４：上記いずれかのスキームで決定された使用可能なＤＭＲＳポート範囲から、使用可能なＤＭＲＳポート範囲として１つ以上のＤＭＲＳポートを選択することを特徴とする請求項２０に記載の情報を指示するための装置。
【請求項２２】
前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}であることを特徴とする請求項２１に記載の情報を指示するための装置。
【請求項２３】
前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}であることを特徴とする請求項２１に記載の情報を指示するための装置。
【請求項２４】
前記プロセッサは、
使用可能なＤＭＲＳ ＣＤＭグループの範囲を決定することは、以下のスキームのうちの１つを含み、
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定することを特徴とする請求項２０に記載の情報を指示するための装置。
【請求項２５】
前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}であることを特徴とする請求項２４に記載の情報を指示するための装置。
【請求項２６】
前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}であることを特徴とする請求項２４に記載の情報を指示するための装置。
【請求項２７】
前記プロセッサは、
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割することを特徴とする請求項２０から請求項２６のいずれか一項に記載の情報を指示するための装置。
【請求項２８】
前記プロセッサは、
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２０から請求項２６のいずれか一項に記載の情報を指示するための装置。
【請求項２９】
前記プロセッサは、
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２０から請求項２６のいずれか一項に記載の情報を指示するための装置。
【請求項３０】
前記プロセッサは、
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２０から請求項２６のいずれか一項に記載の情報を指示するための装置。
【請求項３１】
前記プロセッサは、
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２０から請求項２６のいずれか一項に記載の情報を指示するための装置。
【請求項３２】
前記プロセッサは、
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、
またはｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、
またはｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２０から請求項２６のいずれか一項に記載の情報を指示するための装置。
【請求項３３】
前記プロセッサは、
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２０から請求項２６のいずれか一項に記載の情報を指示するための装置。
【請求項３４】
前記プロセッサは、
ＤＭＲＳポートの各ＱＣＬグルーピングに含まれるＤＭＲＳポートを構成または通知し、および/または、  
ＤＭＲＳポートの各ＱＣＬグルーピングに含まれるＤＭＲＳ ＣＤＭグループを構成または通知することを特徴とする請求項２０に記載の情報を指示するための装置。
【請求項３５】
メモリと、プロセッサとを備え、前記メモリはプログラム命令を格納するように構成され、
前記プロセッサは、前記メモリに格納されたプログラム命令を呼び出し、ネットワーク側から送信された通知を受信し、
前記通知を使用して復調参考信号（ＤＭＲＳ）ポートのＱＣＬグルーピング情報を決定することを特徴とする情報を決定するための装置。
【請求項３６】
前記ＤＭＲＳポートのＱＣＬグルーピング情報は、ＤＭＲＳポートの各ＱＣＬグルーピングに含まれるＤＭＲＳポート、および/または、ＤＭＲＳポートの各ＱＣＬグルーピングに含まれるＤＭＲＳ ＣＤＭグループを含むことを特徴とする請求項３５に記載の情報を決定するための装置。
【請求項３７】
復調参考信号（ＤＭＲＳ）ポートのＱＣＬグルーピング情報を決定するように構成された決定ユニットと、
前記ＱＣＬグルーピング情報を端末に通知するように構成された指示ユニットとを備えることを特徴とする情報を指示するための装置。
【請求項３８】
ネットワーク側から送信された通知を受信するように構成された受信ユニットと、
前記通知を使用して復調参考信号（ＤＭＲＳ）ポートのＱＣＬグルーピング情報を決定するように構成された決定ユニットとを備えることを特徴とする情報を決定するための装置。
【請求項３９】
プロセッサによって実行されると、請求項１から請求項１８のいずれか１項の方法のステップを実施するコンピュータプログラムを記憶するコンピュータ可読記憶媒体。
【発明の詳細な説明】
【技術分野】
【０００１】
［関連出願の相互参照］
本出願は、２０１８年１月１２日に中国特許局に提出し、出願番号が２０１８１００３２６５６.Ｘであり、発明名称が「情報を指示および決定するための方法および装置ならびにコンピュータ可読記憶媒体」との中国特許出願を基礎とする優先権を主張し、その開示のすべてをここに取り込む。
【０００２】
［技術分野］
本発明は、通信技術分野に関し、特に情報を指示および決定するための方法および装置ならびにコンピュータ可読記憶媒体に関する。
【背景技術】
【０００３】
新しい無線（Ｎｅｗ Ｒａｄｉｏ，ＮＲ）システムでは、データ復調プロセスは、復調参考信号（Ｄｅｍｏｄｕｌａｔｉｏｎ Ｒｅｆｅｒｅｎｃｅ Ｓｉｇｎａｌ，ＤＭＲＳ）に基づくチャネル推定を必要とする。従来技術では、ＮＲシステムのＤＭＲＳは、対応するデータ層と同じプリコーディング方法で送信される。
【発明の概要】
【発明が解決しようとする課題】
【０００４】
しかしながら、従来技術では、ＤＭＲＳポートに関する情報を示し、決定する解決策はない。
本発明の実施形態は、端末がＱＣＬグルーピング情報を決定するように、ＤＭＲＳポートのＱＣＬグルーピング情報を示すために、情報を指示および決定するための方法および装置ならびにコンピュータ可読記憶媒体を提供する。
【課題を解決するための手段】
【０００５】
ネットワーク側では、本発明の実施形態によって提供される情報を指示するための方法は、
復調参考信号（ＤＭＲＳ）ポートのＱＣＬグルーピング情報を決定するステップと、
前記ＱＣＬグルーピング情報を端末に通知するステップとを備える。
【０００６】
ＤＭＲＳポートのＱＣＬグルーピング情報を決定し、前記ＱＣＬグルーピング情報を端末に通知することにより、ＤＭＲＳポートのＱＣＬグルーピング情報の指示が実施され、その結果、端末は、ＤＭＲＳポートのＱＲＳグループ情報を決定する。
【０００７】
任意の選択で、ＤＭＲＳポートのＱＣＬグルーピング情報を決定することは具体的に、使用可能なＤＭＲＳポート範囲を決定し、または使用可能なＤＭＲＳコード分割多重化（ＣＤＭ）グループの範囲を決定し、使用可能なＤＭＲＳポートのＱＣＬグルーピング情報を決定し、前記ＤＭＲＳ ＣＤＭグループはＤＭＲＳポートのＣＤＭグループであり、
前記ＱＣＬグルーピング情報を端末に通知することは具体的に、ＤＭＲＳポートのＱＣＬグルーピング情報で端末を構成するか、またはＤＭＲＳポートのＱＣＬグルーピング情報を端末に通知する。
【０００８】
任意の選択で、使用可能なＤＭＲＳポート範囲を決定することは、具体的には、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定し、
スキーム１−ａ−２：ＤＭＲＳ構成タイプを満たす構成条件下でサポートされるすべてのＤＭＲＳポートとして、使用可能なＤＭＲＳポート範囲を決定し、
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定し、
スキーム１−ａ−４：上記いずれかのスキームで決定された使用可能なＤＭＲＳポート範囲から、使用可能なＤＭＲＳポート範囲として１つ以上のＤＭＲＳポートを選択する。
【０００９】
任意の選択で、前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}である。
【００１０】
任意の選択で、前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}である。
【００１１】
任意の選択で、使用可能なＤＭＲＳ ＣＤＭグループの範囲を決定することは、具体的には、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定する。
【００１２】
任意の選択で、前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}である。
【００１３】
任意の選択で、前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}である。
【００１４】
任意の選択で、使用可能なＤＭＲＳポートのＱＣＬグルーピング情報を決定することは、具体的に、
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割する。
【００１５】
任意の選択で、使用可能なＤＭＲＳポートに対してＱＣＬグルーピングを実行する場合、使用可能なＤＭＲＳポートのＱＣＬグルーピング情報を決定することは、具体的に、
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００１６】
任意の選択で、使用可能なＤＭＲＳポートに対してＱＣＬグルーピングを実行する場合、使用可能なＤＭＲＳポートのＱＣＬグルーピング情報を決定することは、具体的に、
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００１７】
任意の選択で、使用可能なＤＭＲＳポートに対してＱＣＬグルーピングを実行する場合、使用可能なＤＭＲＳポートのＱＣＬグルーピング情報を決定することは、具体的に、
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００１８】
任意の選択で、使用可能なＤＭＲＳポートに対してＱＣＬグルーピングを実行する場合、使用可能なＤＭＲＳポートのＱＣＬグルーピング情報を決定することは、具体的に、
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００１９】
任意の選択で、使用可能なＤＭＲＳ ＣＤＭグループに対してＱＣＬグルーピングを実行する場合、使用可能なＤＭＲＳポートのＱＣＬグルーピング情報を決定することは、具体的に、
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００２０】
任意の選択で、使用可能なＤＭＲＳ ＣＤＭグループに対してＱＣＬグルーピングを実行する場合、使用可能なＤＭＲＳポートのＱＣＬグルーピング情報を決定することは、具体的に、
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００２１】
任意の選択で、ＤＭＲＳポートのＱＣＬグルーピング情報で端末を構成するか、またはＤＭＲＳポートのＱＣＬグルーピング情報を端末に通知することは具体的に、
ＤＭＲＳポートの各ＱＣＬグルーピングに含まれるＤＭＲＳポートを構成または通知し、および/または、  
ＤＭＲＳポートの各ＱＣＬグルーピングに含まれるＤＭＲＳ ＣＤＭグループを構成または通知する。
これに応じて、端末側では、本発明の実施形態によって提供される情報を決定するための方法は、
ネットワーク側から送信された通知を受信するステップと、
前記通知を使用して復調参考信号（ＤＭＲＳ）ポートのＱＣＬ（Ｑｕａｓｉ−Ｃｏ−Ｌｏｃａｔｉｏｎ）グルーピング情報を決定するステップとを備える。
【００２２】
任意の選択で、前記ＤＭＲＳポートのＱＣＬグルーピング情報は、ＤＭＲＳポートの各ＱＣＬグルーピングに含まれるＤＭＲＳポート、および/または、ＤＭＲＳポートの各ＱＣＬグルーピングに含まれるＤＭＲＳ ＣＤＭグループを含む。
【００２３】
ネットワーク側では、本発明の実施形態によって提供される情報を指示するための装置，メモリと、プロセッサとを備え、前記メモリはプログラム命令を格納するように構成され、
前記プロセッサは、前記メモリに格納されたプログラム命令を呼び出して、復調参考信号（ＤＭＲＳ）ポートのＱＣＬグルーピング情報を決定し、
前記ＱＣＬグルーピング情報を端末に通知する。
【００２４】
任意の選択で、ＤＭＲＳポートのＱＣＬグルーピング情報を決定する場合、前記プロセッサは具体的に、
使用可能なＤＭＲＳポート範囲を決定し、または使用可能なＤＭＲＳコード分割多重化（ＣＤＭ）グループの範囲を決定する。使用可能なＤＭＲＳポートのＱＣＬグルーピング情報を決定する。前記ＤＭＲＳ ＣＤＭグループはＤＭＲＳポートのＣＤＭグループであり、
前記ＱＣＬグルーピング情報を端末に通知する場合、前記プロセッサは具体的に、
ＤＭＲＳポートのＱＣＬグルーピング情報で端末を構成するか、またはＤＭＲＳポートのＱＣＬグルーピング情報を端末に通知する。
【００２５】
任意の選択で、前記プロセッサは具体的に、
使用可能なＤＭＲＳポート範囲を決定することは、具体的には、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定する。
スキーム１−ａ−２：ＤＭＲＳ構成タイプを満たす構成条件下でサポートされるすべてのＤＭＲＳポートとして、使用可能なＤＭＲＳポート範囲を決定し、
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定し、
スキーム１−ａ−４：上記いずれかのスキームで決定された使用可能なＤＭＲＳポート範囲から、使用可能なＤＭＲＳポート範囲として１つ以上のＤＭＲＳポートを選択する。
【００２６】
任意の選択で、前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}である。
【００２７】
任意の選択で、前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}である。
【００２８】
任意の選択で、前記プロセッサは具体的に、
使用可能なＤＭＲＳ ＣＤＭグループの範囲を決定することは、具体的には、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定する。
【００２９】
任意の選択で、前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}である。
【００３０】
任意の選択で、前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}である。
【００３１】
任意の選択で、前記プロセッサは具体的に、
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割する。
【００３２】
任意の選択で、前記プロセッサは具体的に、
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００３３】
任意の選択で、前記プロセッサは具体的に、
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００３４】
任意の選択で、前記プロセッサは具体的に、
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００３５】
任意の選択で、前記プロセッサは具体的に、
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００３６】
任意の選択で、使用可能なＤＭＲＳ ＣＤＭグループに対してＱＣＬグルーピングを実行する場合、使用可能なＤＭＲＳポートのＱＣＬグルーピング情報を決定することは、具体的に、
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００３７】
任意の選択で、前記プロセッサは具体的に、
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【００３８】
任意の選択で、前記プロセッサは具体的に、
ＤＭＲＳポートの各ＱＣＬグルーピングに含まれるＤＭＲＳポートを構成または通知し、および/または、
ＤＭＲＳポートの各ＱＣＬグルーピングに含まれるＤＭＲＳ ＣＤＭグループを構成または通知する。
【００３９】
これに応じて、端末側では、本発明の実施形態によって提供される情報を決定するための装置，メモリと、プロセッサとを備え、前記メモリはプログラム命令を格納するように構成され、前記プロセッサは、前記メモリに格納されたプログラム命令を呼び出すように構成され、
ネットワーク側から送信された通知を受信し、
前記通知を使用して復調参考信号（ＤＭＲＳ）ポートのＱＣＬグルーピング情報を決定する。
【００４０】
任意の選択で、前記ＤＭＲＳポートのＱＣＬグルーピング情報は、ＤＭＲＳポートの各ＱＣＬグルーピングに含まれるＤＭＲＳポート、および/または、ＤＭＲＳポートの各ＱＣＬグルーピングに含まれるＤＭＲＳ ＣＤＭグループを含む。
【００４１】
本発明の実施形態によって提供される情報を指示するための別の装置は、
復調参考信号（ＤＭＲＳ）ポートのＱＣＬグルーピング情報を決定するように構成された決定ユニットと、
前記ＱＣＬグルーピング情報を端末に通知するように構成された指示ユニットとを備える。
【００４２】
本発明の実施形態によって提供される情報を決定するための別の装置は、
ネットワーク側から送信された通知を受信するように構成された受信ユニットと、
前記通知を使用して復調参考信号（ＤＭＲＳ）ポートのＱＣＬグルーピング情報を決定するように構成された決定ユニットとを備える。
【００４３】
本発明の別の実施形態は、コンピュータに上述の方法のいずれか１つを実行させるように構成されたコンピュータ実行可能命令を格納するコンピュータ記憶媒体を提供する。
【００４４】
本発明に係る実施形態や従来の技術方案をより明確に説明するために、以下に実施形態を説明するために必要な図面をについて簡単に紹介する。無論、以下の説明における図面は本発明に係る実施形態の一部であり、当業者は、創造性作業を行わないことを前提として、これらの図面に基づいて他の図面を得ることができる。
【図面の簡単な説明】
【００４５】
【図１】本発明の実施形態によって提供される第１のＤＭＲＳのパターン概略図である。
【図２】本発明の実施形態によって提供される第２のＤＭＲＳのパターン概略図である。
【図３】本発明の実施形態によって提供される第３のＤＭＲＳのパターン概略図である。
【図４】本発明の実施形態によって提供される第４のＤＭＲＳのパターン概略図である。
【図５】本発明の実施形態によって提供される情報を指示するための方法のフロー概略図である。
【図６】本発明の実施形態によって提供される情報を決定するための方法のフロー概略図である。
【図７】本発明の実施形態によって提供される情報を指示するための装置の構造概略図である。
【図８】本発明の実施形態によって提供される情報を決定するための装置の構造概略図である。
【図９】本発明の実施形態によって提供される情報を指示するための別の装置の構造概略図である。
【図１０】本発明の実施形態によって提供される情報を決定するための別の装置の構造概略図である。
【発明を実施するための形態】
【００４６】
本発明の実施形態は、端末がＱＣＬグルーピング情報を決定するように、ＤＭＲＳポートのＱＣＬグルーピング情報を示すために、情報を指示および決定するための方法および装置ならびにコンピュータ可読記憶媒体を提供する。
【００４７】
ＤＭＲＳ基本パターン（ｆｒｏｎｔ−ｌｏａｄ  ＤＭＲＳ）構成は、以下の場合を含む。
構成（Ｃｏｎｆｉｇｕｒａｔｉｏｎ）１：
ＤＭＲＳシンボルの数は１であり、組み合わせ（Ｃｏｍｂｉｎａｔｉｏｎ，ｃｏｍｂ）２＋巡回シフト（ｃｙｃｌｉｃ ｓｈｉｆｔｓ，ＣＳ）２を使用し、これは４つまでのポートをサポートする。
【００４８】
図１を参照すると、ｃｏｍｂ２は、周波数領域多重化であり、例えば、ｃｏｍｂ２の多重化関係は、ポート０と２の間に存在する。ＣＳ２は、例えば、巡回シフト（ｃｙｃｌｉｃ ｓｈｉｆｔｓ，ＣＳ）によるポート間のシーケンスの多重化であるＣＳ２の多重化関係はポート０と１の間に存在する。
【００４９】
ＤＭＲＳシンボルの数は２であり、ｃｏｍ２ ＋ ＣＳ２ ＋ ＴＤ−ＯＣＣ（｛１，１｝および｛１、−１｝）を使用し、これは最大８つのポートをサポートする。ここで、ＴＤ−ＯＣＣ（｛１，１}および{１、-１}）は、時間領域直交カバーコード（ＴＤ−ＯＣＣ）多重化が２つのポート間で使用され、{１、１}および{１、-１}それぞれが２つのポートの多重化係数であることを意味する。
【００５０】
図２を参照すると、ＴＤ−ＯＣＣは、時間領域直交カバーコード（Ｏｒｔｈｏｇｏｎａｌ Ｃｏｖｅｒ Ｃｏｄｅ，ＯＣＣ）多重化であり、例えば、時間領域ＯＣＣ多重化は、ポート０／１と４／５の間で使用される。ここで、ＣＳ２多重化は、ポート０とポート１との間に存在する。ＣＳ２多重化はポート４とポート５の間に存在し、時間領域ＯＣＣ多重化はポート０/１とポート４/５の間に存在する。
【００５１】
構成（Ｃｏｎｆｉｇｕｒａｔｉｏｎ）２：
ＤＭＲＳシンボルの数は１であり、最大６つのポートをサポートする２−ＦＤ−ＯＣＣ（隣接周波数領域リソース要素（Ｒｅｓｏｕｒｃｅ Ｅｌｅｍｅｎｔ，ＲＥ））を使用する。
【００５２】
図３を参照すると、２−ＦＤ−ＯＣＣは、周波数領域ＯＣＣ多重化であり、例えば、周波数領域ＯＣＣ多重化は、ポート０と１の間に存在する。さらに、周波数分割多重化（Ｆｒｅｑｕｅｎｃｙ−ｄｉｖｉｓｉｏｎ ｍｕｌｔｉｐｌｅｘｉｎｇ，ＦＤＭ）モードは、他のポート、たとえば、ＦＤＭモードはポート０/１と２/３の間で使用される。
【００５３】
ＤＭＲＳシンボルの数は２であり、１２個までのポートをサポートする２−ＦＤ−ＯＣＣ（隣接多重化ＲＥ）＋ ＴＤ−ＯＣＣ（｛１，１｝および｛１、−１｝）を使用する。
図４を参照すると、ＴＤ−ＯＣＣは、時間領域ＯＣＣ多重化であり、例えば、時間領域ＯＣＣ多重化は、ポート０／１と６／７との間で使用される。
【００５４】
上記の様々なＤＭＲＳパイロットパターン（ｐａｔｔｅｒｎ）から分かるように、構成（ｃｏｎｆｉｇｕｒａｔｉｏｎ）１の場合、サポートされるポートの最大数が４を超えない場合、図１のパターンを構成に使用でき４を超えるが８を超えない場合、図２のパターンを構成に使用できる。構成２の場合、サポートされるポートの最大数が６を超えない場合、図３のパターンを使用して構成でき、６を超え１２を超えない場合、図４のパターンが構成に使用される。ここでいうポート数とは、各リソース位置で多重化されている全端末のポート数の合計を指す。
【００５５】
補足説明として、図１ないし図４において、最初の２列は制御シンボルフィールド、つまりダウンリンク制御チャネルが占有する必要があるシンボル位置を表し、最後の２列はアップリンク制御チャネルが占有する必要があるシンボル位置を表し、つまりＰＤＳＣＨデータチャネルに使用できないシンボルリソースである。
【００５６】
ＮＲシステムでは、複数の送信／受信ポイント（ＴＲＰ）／アンテナパネル（ｐａｎｅｌ）またはサブアレイの協調送信の場合を考慮する必要があるかもしれない。この場合、異なるＴＲＰ/パネルによって送信された信号は、平均遅延、遅延拡散、平均ドップラーシフト、ドップラー拡散、空間領域受信パラメーターなど、比較的独立した大規模な機能を備えている場合がある。したがって、ＮＲでは、２つ以上の参考信号チャネルが同じ大規模パラメーターを持っている場合は、準コロケーション（Ｑｕａｓｉ−ｃｏｌｏｃａｔｉｏｎ，ＱＣＬ）と呼ばれる。そうでなければ、それは非ＱＣＬと呼ばれ。前記大規模なパラメーターは、例えば、平均遅延、遅延拡散、ドップラーシフト、ドップラー拡散、空間受信パラメータ、平均受信電力などである。さらに、ＱＣＬは、端末は、受信した参考信号ポートが同じまたは異なる物理的位置にあるサイトまたはアンテナサブアレイからのものであると判断できない。２つの参考信号ポートが同じ平均遅延、遅延拡散、ドップラーシフト、ドップラー拡散、空間受信パラメーター、平均受信電力およびその他のパラメーター（またはそのサブ集合）を持っている場合、これら２つの参考信号は、上記の大規模パラメーターの意味で、準コロケーションであると見なすことができる。
【００５７】
ＤＭＲＳポートについて、ＮＲシステムは、ＱＣＬグループ（ｇｒｏｕｐ）の概念、すなわち、ＤＭＲＳポートのＱＣＬグループ（以下、略してＱＣＬグループまたはＱＣＬグルーピングと呼ぶことがある）を定義する：ＱＣＬグループ内の各ＤＭＲＳポートはＱＣＬであり、異なるＱＣＬグループに属するＤＭＲＳポートは非ＱＣＬである。同じコード分割多重化（Ｃｏｄｅ Ｄｉｖｉｓｉｏｎ Ｍｕｌｔｉｐｌｅｘｉｎｇ，ＣＤＭ）グループ内のＤＭＲＳポートがＱＣＬ関係を持つことは、ＮＲシステムで指定されている。つまり、ＣＤＭグループでは、すべての参考信号ポートが同じ時間周波数リソースを占有し、直交コードワードによって区別される。図４を例にとると、ＤＭＲＳ設計の特性により、ＤＭＲＳシンボルがある場合、ポート０/１はＣＤＭ関係にあり、ポート２/３はＣＤＭ関係にあり、ポート０/１とポート２/３の間にＦＤＭ関係がある。図１〜４は、同じ塗りつぶしパターンを持つ隣接ブロックがＣＤＭグループを形成する。各データチャネルは２つのＱＣＬグループをサポートできる。前記データチャネルは、例えば、物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）である。
【００５８】
本発明の実施形態で説明される前記ＤＭＲＳポートのＱＣＬグループは、略してＱＣＬグループと呼ばれることもあり、ＤＭＲＳグループと呼ばれることもある。
本発明の実施形態で説明されるＤＭＲＳポートは、略してポートと呼ばれることもあるし、アンテナポートと呼ばれることもある。
【００５９】
本発明の実施形態によって提供される特定の解決策は、以下を含む。
ステップ１：使用可能なＤＭＲＳポート範囲（ＤＭＲＳポートの番号により示される）を決定するか、または使用可能なＤＭＲＳ ＣＤＭグループの範囲（ＤＭＲＳ ＣＤＭグループの番号により示される）を決定する。
【００６０】
前記ＤＭＲＳ ＣＤＭグループは、ＤＭＲＳポートのＣＤＭグループであり、以下、略してＣＤＭグループとも呼ばれ、同じＣＤＭグループ内のＤＭＲＳポートはＱＣＬ関係を有する。
【００６１】
使用可能なＤＭＲＳポート範囲を決定することに関して、例えば、以下のスキームのうちの１つが採用され得る。
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定する。
本発明の実施形態では、前記ＤＭＲＳ構成タイプ、ＤＭＲＳシンボルの最大数は、ＤＭＲＳの構成パラメーターである。
【００６２】
発明の実施形態で説明されるＤＭＲＳ構成タイプは、例えば、ダウンリンクＤＭＲＳ構成タイプ（ＤＬ−ＤＭＲＳ−ｃｏｎｆｉｇ−ｔｙｐｅ）であってもよい。たとえば、ＤＭＲＳ構成タイプが第１のタイプである場合、ＤＬ−ＤＭＲＳ−ｃｏｎｆｉｇ−ｔｙｐｅ＝１。ＤＭＲＳ構成タイプが第２ののタイプである場合、たとえば、ＤＬ−ＤＭＲＳ−ｃｏｎｆｉｇ−ｔｙｐｅ＝２。
【００６３】
本発明の実施形態で説明されるＤＭＲＳシンボルの最大数は、例えば、ダウンリンクＤＭＲＳシンボルの最大数（ＤＬ−ＤＭＲＳ−ｍａｘ−ｌｅｎ）であってもよい。たとえば、ＤＭＲＳシンボルの最大数が１の場合、ＤＬ−ＤＭＲＳ−ｍａｘ−ｌｅｎ＝１。ＤＭＲＳシンボルの最大数が２の場合、たとえば、ＤＬ−ＤＭＲＳ−ｍａｘ−ｌｅｎ＝２。
【００６４】
例えば、ＤＬ-ＤＭＲＳ-ｃｏｎｆｉｇ−ｔｙｐｅおよびＤＬ−ＤＭＲＳ−ｍａｘ−ｌｅｎによれば、使用可能なＤＭＲＳポート範囲は、ＤＬ−ＤＭＲＳ−ｃｏｎｆｉｇ−ｔｙｐｅおよびＤＬ−ＤＭＲＳ−ｍａｘ−ｌｅｎの構成条件下でサポートされるすべてのＤＭＲＳポートであると想定される。例えば：
ＤＬ−ＤＭＲＳ−ｃｏｎｆｉｇ−ｔｙｐｅ＝１およびＤＬ−ＤＭＲＳ−ｍａｘ−ｌｅｎ＝１の場合、使用可能なＤＭＲＳポート範囲は、{１０００−１００３}であり、
ＤＬ−ＤＭＲＳ−ｃｏｎｆｉｇ−ｔｙｐｅ＝１およびＤＬ−ＤＭＲＳ−ｍａｘ−ｌｅｎ＝２の場合、使用可能なＤＭＲＳポート範囲は、{１０００−１００７}であり、
ＤＬ−ＤＭＲＳ−ｃｏｎｆｉｇ−ｔｙｐｅ＝２およびＤＬ−ＤＭＲＳ−ｍａｘ−ｌｅｎ＝１の場合、使用可能なＤＭＲＳポート範囲は、{１０００−１００５}であり、
ＤＬ−ＤＭＲＳ−ｃｏｎｆｉｇ−ｔｙｐｅ＝２およびＤＬ−ＤＭＲＳ−ｍａｘ−ｌｅｎ＝２の場合、使用可能なＤＭＲＳポート範囲は、{１０００−１０１１}である。
【００６５】
スキーム１−ａ−２：ＤＭＲＳ構成タイプを満たす構成条件下でサポートされるすべてのＤＭＲＳポートとして、使用可能なＤＭＲＳポート範囲を決定する。
例えば、ＤＬ−ＤＭＲＳ−ｃｏｎｆｉｇ−ｔｙｐｅによれば、使用可能なＤＭＲＳポート範囲は、ＤＬ−ＤＭＲＳ−ｃｏｎｆｉｇ−ｔｙｐｅの構成条件下でサポートされるすべてのＤＭＲＳポートであると想定される。例えば：
ＤＬ−ＤＭＲＳ−ｃｏｎｆｉｇ−ｔｙｐｅ＝１の場合、使用可能なＤＭＲＳポート範囲は、{１０００−１００７}であり、
ＤＬ−ＤＭＲＳ−ｃｏｎｆｉｇ−ｔｙｐｅ＝２の場合、使用可能なＤＭＲＳポート範囲は、{１０００−１０１１}である。
【００６６】
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定する。
【００６７】
例えば、ＤＬ-ＤＭＲＳ-ｃｏｎｆｉｇ−ｔｙｐｅおよびＤＬ−ＤＭＲＳ−ｍａｘ−ｌｅｎ、ならびに基地局および端末によってサポートされ得るレイヤー数に従って、使用可能なＤＭＲＳポート範囲は、ＤＬ-ＤＭＲＳ-ｃｏｎｆｉｇ−ｔｙｐｅとＤＬ−ＤＭＲＳ−ｍａｘ−ｌｅｎ、および基地局および端末でサポートできるレイヤー数を満たす構成条件下でサポートされるすべてのＤＭＲＳポートである。
ここで、レイヤー数は、データストリームの数である。
【００６８】
スキーム１−ａ−４：上記いずれかのスキームで決定された使用可能なＤＭＲＳポート範囲から、使用可能なＤＭＲＳポート範囲として１つ以上のＤＭＲＳポートを選択する。
【００６９】
すなわち、上記のいずれかのスキームで決定されたＤＭＲＳポート範囲内のサブ集合は、使用可能なＤＭＲＳポート範囲として指定され、サブ集合は、１つまたは複数のＤＭＲＳポートを含む。
使用可能なＤＭＲＳ ＣＤＭグループの範囲を決定することに関して、以下のスキームのうちの１つを採用することができる。
【００７０】
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定する。
【００７１】
例えば、ＤＬ-ＤＭＲＳ-ｃｏｎｆｉｇ−ｔｙｐｅによれば、使用可能なＤＭＲＳ ＣＤＭグループの範囲は、ＤＬ-ＤＭＲＳ-ｃｏｎｆｉｇ−ｔｙｐｅの構成条件下でサポートされるすべてのＤＭＲＳ ＣＤＭグループであると想定される。具体的には、たとえば：
ＤＬ−ＤＭＲＳ−ｃｏｎｆｉｇ−ｔｙｐｅ＝１の場合、使用可能なＤＭＲＳ ＣＤＭグループは{０，１}である。
ＤＬ−ＤＭＲＳ−ｃｏｎｆｉｇ−ｔｙｐｅ＝２の場合、使用可能なＤＭＲＳ ＣＤＭグループは{０，１，２}である。
【００７２】
スキーム１−ｂ−２：使用可能なＤＭＲＳ ＣＤＭグループの範囲を、ＤＭＲＳ構成タイプを満たす構成条件下でサポートされるすべてのＤＭＲＳ ＣＤＭグループの１つ以上のＤＭＲＳ ＣＤＭグループとして決定する。
【００７３】
例えば、ネットワーク側は、ＤＬ−ＤＭＲＳ−ｃｏｎｆｉｇ−ｔｙｐｅに従って、使用可能なＤＭＲＳ ＣＤＭグループの範囲として、ＤＬ-ＤＭＲＳ-ｃｏｎｆｉｇ−ｔｙｐｅの構成条件下でサポートされるすべてのＤＭＲＳ ＣＤＭグループから、１つのサブ集合を指定することができる。例えば：
ＤＬ−ＤＭＲＳ−ｃｏｎｆｉｇ−ｔｙｐｅ＝１の場合、使用可能なＤＭＲＳ ＣＤＭグループは{０、１}または{０}または{１}であり、具体的には、使用可能なＤＭＲＳ ＣＤＭグループはネットワーク側によって指定される。
【００７４】
ＤＬ−ＤＭＲＳ−ｃｏｎｆｉｇ−ｔｙｐｅ＝２の場合、使用可能なＤＭＲＳ ＣＤＭグループは、{０，１，２}または{０，１}または{１，２}または{０，２}または{０}または{１}または{２}である。具体的には、使用可能なＤＭＲＳ ＣＤＭグループがネットワーク側によって指定される。
【００７５】
ステップ２：上記ステップ１の実行結果に従って使用可能なＤＭＲＳ ＱＣＬグルーピング方法を決定する。例えば、ＤＭＲＳ ＱＣＬのすべての可能なグルーピング方法は、以下の原則に従って決定される。
【００７６】
原則a：ＱＣＬグルーピングは、ＤＭＲＳ ＣＤＭグループを基本単位として実行される。つまり、各ＤＭＲＳ ＣＤＭグループに含まれるＤＭＲＳポートは、同じＱＣＬグループにのみ分割できる。
原則ｂ：いずれか１つの使用可能なＤＭＲＳポート、またはいずれか１つの使用可能なＤＭＲＳ ＣＤＭグループは、ＱＣＬグループに分割する必要がある。
【００７７】
例えば、ＱＣＬグルーピングが使用可能なＤＭＲＳポート（ポート番号によって示される）に対して実行されるとき：
ＤＬ-ＤＭＲＳ-ｃｏｎｆｉｇ−ｔｙｐｅ＝１の場合、使用可能なＤＭＲＳポート範囲（特にポート番号で示される）が{１０００-１００３}の場合、オプションのＤＭＲＳ ＱＣＬグルーピング方法には以下が含まれる。
ケース１：２つのＱＣＬグループがある場合：
ｄｍｒｓ−ｇｒｏｕｐ１＝{１０００，１００１}，ｄｍｒｓ−ｇｒｏｕｐ２＝{１００２，１００３}、
または、ｄｍｒｓ−ｇｒｏｕｐ２＝{１０００，１００１}，ｄｍｒｓ−ｇｒｏｕｐ１＝{１００２，１００３}。
【００７８】
本発明の実施形態では、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
ケース２：１つのＱＣＬグループがある場合：
１つの表現は次のとおりである。
ｄｍｒｓ−ｇｒｏｕｐ１＝{１０００，１００１，１００２，１００３}，ｄｍｒｓ−ｇｒｏｕｐ２＝{}（集合が空または存在しない）、または、
ｄｍｒｓ−ｇｒｏｕｐ２＝{１０００，１００１，１００２，１００３}，ｄｍｒｓ−ｇｒｏｕｐ１＝{}（集合が空または存在しない）、
別の表現は次のとおりである。
ｄｍｒｓ−ｇｒｏｕｐ１の可能な値は、{１０００，１００１}，{１００２，１００３}，{１０００，１００１，１００２，１００３}，{}（集合が空または存在しない）、
ｄｍｒｓ−ｇｒｏｕｐ２の可能な値は、{１０００，１００１}，{１００２，１００３}，{１０００，１００１，１００２，１００３}，{}（集合が空または存在しない）、
ｄｍｒｓ−ｇｒｏｕｐ１とｄｍｒｓ−ｇｒｏｕｐ２の値の間に交差集合を設定することはできず、また、ｄｍｒｓ−ｇｒｏｕｐ１とｄｍｒｓ−ｇｒｏｕｐ２のコレクションは{１０００，１００１，１００２，１００３}である。
【００７９】
ＤＬ−ＤＭＲＳ−ｃｏｎｆｉｇ−ｔｙｐｅ＝１の場合、使用可能なＤＭＲＳポート範囲が{１０００−１００７}であれば、オプションのＤＭＲＳ ＱＣＬグルーピング方法には次が含まれる。
ケース１：２つのＱＣＬグループがある場合：
１つの表現は次のとおりである。
ｄｍｒｓ−ｇｒｏｕｐ１＝{１０００，１００１，１００４，１００５}，ｄｍｒｓ−ｇｒｏｕｐ２＝{１００２，１００３，１００６，１００７}、
または、
ｄｍｒｓ−ｇｒｏｕｐ２＝{１０００，１００１，１００４，１００５}，ｄｍｒｓ−ｇｒｏｕｐ１＝{１００２，１００３，１００６，１００７}。
【００８０】
ケース２：１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}（集合が空または存在しない）、
またはｄｍｒｓ−ｇｒｏｕｐ２＝{１０００，１００１，１００２，１００３，１００４，１００５，１００６，１００７}，ｄｍｒｓ−ｇｒｏｕｐ１＝{}（集合が空または存在しない）。
【００８１】
別の表現は次のとおりである。
ｄｍｒｓ−ｇｒｏｕｐ１の可能な値は、
{１０００，１００１，１００４，１００５}，{１００２，１００３，１００６，１００７}，{１０００，１００１，１００２，１００３，１００４，１００５，１００６，１００７}，{}（集合が空または存在しない）。
【００８２】
ｄｍｒｓ−ｇｒｏｕｐ２の可能な値は、
{１０００，１００１，１００４，１００５}，{１００２，１００３，１００６，１００７}，{１０００，１００１，１００２，１００３，１００４，１００５，１００６，１００７}，{}（集合が空または存在しない）。
【００８３】
ｄｍｒｓ−ｇｒｏｕｐ１とｄｍｒｓ−ｇｒｏｕｐ２の値の間に交差集合を設定することはできず、また、ｄｍｒｓ−ｇｒｏｕｐ１とｄｍｒｓ−ｇｒｏｕｐ２のコレクションは{１０００，１００１，１００２，１００３，１００４，１００５，１００６，１００７}である。
【００８４】
ＤＬ−ＤＭＲＳ−ｃｏｎｆｉｇ−ｔｙｐｅ＝２の場合、使用可能なＤＭＲＳポート範囲が{１０００−１００５}であれば、オプションのＤＭＲＳ ＱＣＬグルーピング方法には以下が含まれる。
１つの表現は次のとおりである。
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、
またはｄｍｒｓ−ｇｒｏｕｐ２＝{１０００，１００１}，ｄｍｒｓ−ｇｒｏｕｐ１＝{１００２，１００３，１００４，１００５}、
またはｄｍｒｓ−ｇｒｏｕｐ１＝{１０００，１００１，１００２，１００３}，ｄｍｒｓ−ｇｒｏｕｐ２＝{１００４，１００５}、
またはｄｍｒｓ−ｇｒｏｕｐ２＝{１０００，１００１，１００２，１００３}，ｄｍｒｓ−ｇｒｏｕｐ１＝{１００４，１００５}、
またはｄｍｒｓ−ｇｒｏｕｐ１＝{１００２，１００３}，ｄｍｒｓ−ｇｒｏｕｐ２＝{１０００，１００１，１００４，１００５}、
またはｄｍｒｓ−ｇｒｏｕｐ２＝{１００２，１００３}，ｄｍｒｓ−ｇｒｏｕｐ１＝{１０００，１００１，１００４，１００５}。
【００８５】
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}（集合が空または存在しない）、
またはｄｍｒｓ−ｇｒｏｕｐ２＝{１０００，１００１，１００２，１００３，１００４，１００５}，ｄｍｒｓ−ｇｒｏｕｐ１＝{}（集合が空または存在しない）。
【００８６】
別の表現は次のとおりである。
ｄｍｒｓ−ｇｒｏｕｐ１の可能な値は、{１０００，１００１}，{１００２，１００３}，{１００４，１００５}，{１０００，１００１，１００２，１００３}，{１０００，１００１，１００４，１００５}，{１００２，１００３，１００４，１００５}，{１０００，１００１，１００２，１００３，１００４，１００５}，{}（集合が空または存在しない）である。
【００８７】
ｄｍｒｓ−ｇｒｏｕｐ２の可能な値は、{１０００，１００１}，{１００２，１００３}，{１００４，１００５}，{１０００，１００１，１００２，１００３}，{１０００，１００１，１００４，１００５}，{１００２，１００３，１００４，１００５}，{１０００，１００１，１００２，１００３，１００４，１００５}，{}（集合が空または存在しない）である。
【００８８】
ｄｍｒｓ−ｇｒｏｕｐ１とｄｍｒｓ−ｇｒｏｕｐ２の値の間に交差集合を設定することはできず、また、ｄｍｒｓ−ｇｒｏｕｐ１とｄｍｒｓ−ｇｒｏｕｐ２のコレクションは{１０００，１００１，１００２，１００３，１００４，１００５}である。
【００８９】
ＤＬ−ＤＭＲＳ−ｃｏｎｆｉｇ−ｔｙｐｅ＝２の場合、使用可能なＤＭＲＳポート範囲が{１０００−１０１１}であれば、オプションのＤＭＲＳ ＱＣＬグルーピング方法には以下が含まれる。
１つの表現は次のとおりである。
２つのＱＣＬグループがある場合、
ｄｍｒｓ−ｇｒｏｕｐ１＝{１０００，１００１，１００６，１００７}，
ｄｍｒｓ−ｇｒｏｕｐ２＝{１００２，１００３，１００８，１００９，１００４，１００５，１０１０，１０１１}、
または、
ｄｍｒｓ−ｇｒｏｕｐ２＝{１０００，１００１，１００６，１００７}，
ｄｍｒｓ−ｇｒｏｕｐ１＝{１００２，１００３，１００８，１００９，１００４，１００５，１０１０，１０１１}、
または、
ｄｍｒｓ−ｇｒｏｕｐ１＝{１０００，１００１，１００６，１００７，１００２，１００３，１００８，１００９}，
ｄｍｒｓ−ｇｒｏｕｐ２＝{１００４，１００５，１０１０，１０１１}、
または、
ｄｍｒｓ−ｇｒｏｕｐ２＝{１０００，１００１，１００６，１００７，１００２，１００３，１００８，１００９}，
ｄｍｒｓ−ｇｒｏｕｐ１＝{１００４，１００５，１０１０，１０１１}、
または、
ｄｍｒｓ−ｇｒｏｕｐ１＝{１００２，１００３，１００８，１００９}，
ｄｍｒｓ−ｇｒｏｕｐ２＝{１０００，１００１，１００６，１００７，１００４，１００５，１０１０，１０１１}、
または、
ｄｍｒｓ−ｇｒｏｕｐ２＝{１００２，１００３，１００８，１００９}，
ｄｍｒｓ−ｇｒｏｕｐ１＝{１０００，１００１，１００６，１００７，１００４，１００５，１０１０，１０１１}。
【００９０】
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，
ｄｍｒｓ−ｇｒｏｕｐ２＝{}（集合が空または存在しない）、
または、
ｄｍｒｓ−ｇｒｏｕｐ２＝{１０００，１００１，１００２，１００３，１００４，１００５，１００６，１００７，１００８，１００９，１０１０，１０１１}，
ｄｍｒｓ−ｇｒｏｕｐ１＝{}（集合が空または存在しない）。
【００９１】
別の表現は次のとおりである。
ｄｍｒｓ−ｇｒｏｕｐ１の可能な値は、
{１０００，１００１，１００６，１００７}，
{１００２，１００３，１００８，１００９}，{１００４，１００５，１０１０，１０１１}，
{１０００，１００１，１００６，１００７，１００２，１００３，１００８，１００９}，
{１０００，１００１，１００６，１００７，１００４，１００５，１０１０，１０１１}，
{１００２，１００３，１００８，１００９，１００４，１００５，１０１０，１０１１}，
{１０００，１００１，１００２，１００３，１００４，１００５，１００６，１００７，１００８，１００９，１０１０，１０１１}，
{}（集合が空または存在しない）。
【００９２】
ｄｍｒｓ−ｇｒｏｕｐ２の可能な値は、
{１０００，１００１，１００６，１００７}，
{１００２，１００３，１００８，１００９}，{１００４，１００５，１０１０，１０１１}，
{１０００，１００１，１００６，１００７，１００２，１００３，１００８，１００９}，
{１０００，１００１，１００６，１００７，１００４，１００５，１０１０，１０１１}，
{１００２，１００３，１００８，１００９，１００４，１００５，１０１０，１０１１}，
{１０００，１００１，１００２，１００３，１００４，１００５，１００６，１００７，１００８，１００９，１０１０，１０１１}，
{}（集合が空または存在しない）。
【００９３】
ｄｍｒｓ−ｇｒｏｕｐ１とｄｍｒｓ−ｇｒｏｕｐ２の値の間に交差集合を設定することはできず、また、ｄｍｒｓ−ｇｒｏｕｐ１とｄｍｒｓ−ｇｒｏｕｐ２のコレクションは{１０００，１００１，１００２，１００３，１００４，１００５，１００６，１００７，１００８，１００９，１０１０，１０１１}である。
【００９４】
使用可能なＤＭＲＳ ＣＤＭグループ（ＣＤＭグループ番号によって示される）に対してＱＣＬグルーピングが実行される例の説明が以下に与えられる。
ＤＬ−ＤＭＲＳ−ｃｏｎｆｉｇ−ｔｙｐｅ＝１の場合、使用可能なＤＭＲＳ ＣＤＭグループは{０，１}であれば：
１つの表現は次のとおりである。
２つのＱＣＬグループがある場合、
ｄｍｒｓ−ｇｒｏｕｐ１＝{ＤＭＲＳ ＣＤＭグループ０（以下、略してＣＤＭグループ０と呼ぶ）}，ｄｍｒｓ−ｇｒｏｕｐ２＝{ＣＤＭグループ１}、
またはｄｍｒｓ−ｇｒｏｕｐ２＝{ＣＤＭグループ０}，ｄｍｒｓ−ｇｒｏｕｐ１＝{ＣＤＭグループ１}。
１つのＱＣＬグループがある場合、
ｄｍｒｓ−ｇｒｏｕｐ１＝{ＣＤＭグループ０，ＣＤＭグループ１}，ｄｍｒｓ−ｇｒｏｕｐ２＝{}（集合が空または存在しない）、
またはｄｍｒｓ−ｇｒｏｕｐ２＝{ＣＤＭグループ０，ＣＤＭグループ１}，ｄｍｒｓ−ｇｒｏｕｐ１＝{}（集合が空または存在しない）。
【００９５】
別の表現は次のとおりである。
ｄｍｒｓ−ｇｒｏｕｐ１の可能な値は、{ＣＤＭグループ０}，{ＣＤＭグループ１}，{ＣＤＭグループ０，ＣＤＭグループ１}，{}（集合が空または存在しない）、
ｄｍｒｓ−ｇｒｏｕｐ２の可能な値は、{ＣＤＭグループ０}，{ＣＤＭグループ１}，{ＣＤＭグループ０，ＣＤＭグループ１}，{}（集合が空または存在しない）、
ｄｍｒｓ−ｇｒｏｕｐ１とｄｍｒｓ−ｇｒｏｕｐ２の値の間に交差集合を設定することはできず、また、ｄｍｒｓ−ｇｒｏｕｐ１とｄｍｒｓ−ｇｒｏｕｐ２のコレクションは{ＣＤＭグループ０，ＣＤＭグループ１}である。
【００９６】
ＤＬ−ＤＭＲＳ−ｃｏｎｆｉｇ−ｔｙｐｅ＝２の場合、使用可能なＤＭＲＳ ＣＤＭグループが{０，１，３}であれば：
１つの表現は次のとおりである。
２つのＱＣＬグループがある場合、
ｄｍｒｓ−ｇｒｏｕｐ１＝{ＣＤＭグループ０}，ｄｍｒｓ−ｇｒｏｕｐ２＝{ＣＤＭグループ１，ＣＤＭグループ２}、またはｄｍｒｓ−ｇｒｏｕｐ２＝{ＣＤＭグループ０}，ｄｍｒｓ−ｇｒｏｕｐ１＝{ＣＤＭグループ１，ＣＤＭグループ２}、またはｄｍｒｓ−ｇｒｏｕｐ１＝{ＣＤＭグループ１}，ｄｍｒｓ−ｇｒｏｕｐ２＝{ＣＤＭグループ０，ＣＤＭグループ２}、またはｄｍｒｓ−ｇｒｏｕｐ２＝{ＣＤＭグループ１}，ｄｍｒｓ−ｇｒｏｕｐ１＝{ＣＤＭグループ０，ＣＤＭグループ２}、またはｄｍｒｓ−ｇｒｏｕｐ１＝{ＣＤＭグループ２}，ｄｍｒｓ−ｇｒｏｕｐ２＝{ＣＤＭグループ０，ＣＤＭグループ１}、またはｄｍｒｓ−ｇｒｏｕｐ２＝{ＣＤＭグループ２}，ｄｍｒｓ−ｇｒｏｕｐ１＝{ＣＤＭグループ０，ＣＤＭグループ１}。
【００９７】
１つのＱＣＬグループがある場合、
ｄｍｒｓ−ｇｒｏｕｐ１＝{ＣＤＭグループ０，ＣＤＭグループ１，ＣＤＭグループ２}，ｄｍｒｓ−ｇｒｏｕｐ２＝{}（集合が空または存在しない）、
またはｄｍｒｓ−ｇｒｏｕｐ２＝{ＣＤＭグループ０，ＣＤＭグループ１，ＣＤＭグループ２}，ｄｍｒｓ−ｇｒｏｕｐ１＝{}（集合が空または存在しない）。
【００９８】
別の表現は次のとおりである。
ｄｍｒｓ−ｇｒｏｕｐ１の可能な値は、{ＣＤＭグループ０}，{ＣＤＭグループ１}，{ＣＤＭグループ２}，{ＣＤＭグループ０，ＣＤＭグループ１}，{ＣＤＭグループ１，ＣＤＭグループ２}，{ＣＤＭグループ０，ＣＤＭグループ２}，{ＣＤＭグループ０，ＣＤＭグループ１，ＣＤＭグループ２}，{}（集合が空または存在しない）、
ｄｍｒｓ−ｇｒｏｕｐ２の可能な値は、{ＣＤＭグループ０}，{ＣＤＭグループ１}，{ＣＤＭグループ２}，{ＣＤＭグループ０，ＣＤＭグループ１}，{ＣＤＭグループ１，ＣＤＭグループ２}，{ＣＤＭグループ０，ＣＤＭグループ２}，{ＣＤＭグループ０，ＣＤＭグループ１，ＣＤＭグループ２}，{}（集合が空または存在しない）、
ｄｍｒｓ−ｇｒｏｕｐ１とｄｍｒｓ−ｇｒｏｕｐ２の値の間に交差集合を設定することはできず、また、ｄｍｒｓ−ｇｒｏｕｐ１とｄｍｒｓ−ｇｒｏｕｐ２のコレクションは{ＣＤＭグループ０，ＣＤＭグループ１，ＣＤＭグループ２}である。
【００９９】
ステップ３：ＤＭＲＳのＱＣＬグルーピング方法を端末に構成または通知する。
例えば、ステップ２で決定されたｄｍｒｓｇｒｏｕｐ１およびｄｍｒｓ−ｇｒｏｕｐ２の可能な値に従って、端末は、ｄｍｒｓ−ｇｒｏｕｐ１およびｄｍｒｓ−ｇｒｏｕｐ２の値の組み合わせで構成され、または通知される。たとえば、次の２つのスキームで構成または通知を実行できる。
【０１００】
スキーム３−ａ：各ＱＣＬグループ（ｄｍｒｓ−ｇｒｏｕｐ１または２）に含まれるＤＭＲＳポートを以下の形式で通知する：
ｄｍｒｓ−ｇｒｏｕｐ１＝{ｄｍｒｓ−ｇｒｏｕｐ１内のＤＭＲＳポート集合}，
ｄｍｒｓ−ｇｒｏｕｐ２＝{ｄｍｒｓ−ｇｒｏｕｐ２内のＤＭＲＳポート集合}、
ＱＣＬグループが１つしかない場合、端末は空でないＤＭＲＳ ＱＣＬグループの値についてのみ通知を受けることができ、具体的な形式は次のとおりである。
ｄｍｒｓ−ｇｒｏｕｐ１＝{ｄｍｒｓ−ｇｒｏｕｐ１内のＤＭＲＳポート集合}（ｄｍｒｓ−ｇｒｏｕｐ１が空でない場合）、
またはｄｍｒｓ−ｇｒｏｕｐ２＝{ｄｍｒｓ−ｇｒｏｕｐ２内のＤＭＲＳポート集合}（ｄｍｒｓ−ｇｒｏｕｐ２が空でない場合）。
【０１０１】
スキーム３−ｂ：以下の形式で各ＱＣＬグループ（ｄｍｒｓ−ｇｒｏｕｐ１または２）に含まれるＤＭＲＳ ＣＤＭグループを通知する。
ｄｍｒｓ−ｇｒｏｕｐ１＝{ｄｍｒｓ−ｇｒｏｕｐ１内のＤＭＲＳ ＣＤＭグループ集合}，
ｄｍｒｓ−ｇｒｏｕｐ２＝{ｄｍｒｓ−ｇｒｏｕｐ２内のＤＭＲＳ ＣＤＭグループ集合}。
ＱＣＬグループが１つしかない場合、端末は空でないＤＭＲＳ ＱＣＬグループの値についてのみ通知を受けることができ、具体的な形式は次のとおりである。
ｄｍｒｓ−ｇｒｏｕｐ１＝{ｄｍｒｓ−ｇｒｏｕｐ１内のＤＭＲＳ ＣＤＭ集合}（ｄｍｒｓ−ｇｒｏｕｐ１が空でない場合）、
またはｄｍｒｓ−ｇｒｏｕｐ２＝{ｄｍｒｓ−ｇｒｏｕｐ２内のＤＭＲＳ ＣＤＭ集合}（ｄｍｒｓ−ｇｒｏｕｐ２が空でない場合）。
【０１０２】
要約すると、ネットワーク側で、図５を参照すると、本発明の実施形態によって提供される情報を指示するための方法は、以下を含む。
Ｓ１０１：復調参考信号（ＤＭＲＳ）ポートのＱＣＬグルーピング情報を決定する。
Ｓ１０２：Ｓ１０１で記述された前記ＱＣＬグルーピング情報を端末に通知する。
【０１０３】
前記ＱＣＬグルーピング情報は、例えば、ＤＭＲＳポートの上記のＱＣＬグルーピング方法（スキーム）、または各ＱＣＬグループに含まれるＤＭＲＳポートの数（番号）情報、またはそれぞれに含まれるＤＭＲＳ ＣＤＭグループの数（番号）情報、またはＱＣＬ各グループに含まれるＤＭＲＳ ＣＤＭグループの数（番号）情報である。
【０１０４】
これに応じて、端末側では、図６を参照すると、本発明の実施形態によって提供される情報を指示するための方法は、以下を含む。
Ｓ２０１：ネットワーク側から送信された通知を受信する。
前記通知は、ＤＣＩの形の通知または他のシグナリングの形の通知であってよい。
Ｓ２０２：Ｓ２０１に記載された前記通知を使用することにより、復調参考信号（ＤＭＲＳ）ポートのＱＣＬグルーピング情報を決定する。
【０１０５】
前記ＱＣＬグルーピング情報は、例えば、ＤＭＲＳポートのＱＣＬグルーピング方法，または各ＱＣＬグルーピングに含まれるＤＭＲＳポートの番号情報、または各ＱＣＬグルーピングに含まれるＤＭＲＳ ＣＤＭグループの番号情報である。
【０１０６】
ネットワーク側では、図７を参照すると、本発明の実施形態によって提供される情報を指示するための装置は、メモリ５２０およびプロセッサ５００を含み、前記メモリはプログラム命令を格納するように構成され、前記プロセッサは前記メモリに格納されたプログラム命令を呼び出すように構成される。
前記プロセッサは、復調参考信号（ＤＭＲＳ）ポートのＱＣＬグルーピング情報を決定し、
送受信機５１０を介して前記ＱＣＬグルーピング情報を端末に通知する。
【０１０７】
ここで、図７のバスインターフェースおよび送受信機５１０などのすべてが、本出願の実施形態によって提供される情報表示装置内のオプションのデバイスとして存在し得、必ずしも必要ではないことに留意されたい。
前記送受信機５１０は、プロセッサ５００の制御の下でデータを送受信するように構成される。
【０１０８】
任意の選択で、ＤＭＲＳポートのＱＣＬグルーピング情報を決定するとき、前記プロセッサ５００は、以下のように構成される。
使用可能なＤＭＲＳポート範囲を決定し、または使用可能なＤＭＲＳコード分割多重化（ＣＤＭ）グループの範囲を決定する。使用可能なＤＭＲＳポートのＱＣＬグルーピング情報を決定する。前記ＤＭＲＳ ＣＤＭグループはＤＭＲＳポートのＣＤＭグループである。
前記ＱＣＬグルーピング情報を端末に通知するとき、前記プロセッサ５００は、以下のように構成される。
ＤＭＲＳポートのＱＣＬグルーピング情報で端末を構成するか、またはＤＭＲＳポートのＱＣＬグルーピング情報を端末に通知する。
【０１０９】
任意の選択で、前記プロセッサ５００は、以下のように構成される。
使用可能なＤＭＲＳポート範囲を決定することは、具体的には、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定する。
スキーム１−ａ−２：ＤＭＲＳ構成タイプを満たす構成条件下でサポートされるすべてのＤＭＲＳポートとして、使用可能なＤＭＲＳポート範囲を決定する。
【０１１０】
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定する。
スキーム１−ａ−４：上記いずれかのスキームで決定された使用可能なＤＭＲＳポート範囲から、使用可能なＤＭＲＳポート範囲として１つ以上のＤＭＲＳポートを選択する。
【０１１１】
任意の選択で、前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}である。
【０１１２】
任意の選択で、前記スキーム１−ａ−２が採用される場合、
ＤＭＲＳ構成タイプが第１のタイプであるとき、使用可能なＤＭＲＳポート範囲は、{１０
００−１００７}であり、
ＤＭＲＳ構成タイプが第２のタイプであるとき、使用可能なＤＭＲＳポート範囲は、{１０００−１０１１}である。
【０１１３】
任意の選択で、前記プロセッサ５００は、以下のように構成される。
使用可能なＤＭＲＳ ＣＤＭグループの範囲を決定することは、具体的には、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定する。
【０１１４】
任意の選択で、前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}である。
【０１１５】
任意の選択で、前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}である。
【０１１６】
任意の選択で、前記プロセッサ５００は、以下のように構成される。
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割する。
【０１１７】
任意の選択で、前記プロセッサ５００は、以下のように構成される。
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１１８】
任意の選択で、前記プロセッサ５００は、以下のように構成される。
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１１９】
任意の選択で、前記プロセッサ５００は、以下のように構成される。
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１２０】
任意の選択で、前記プロセッサ５００は、以下のように構成される。
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１２１】
任意の選択で、前記プロセッサ５００は、以下のように構成される。
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、
またはｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、
またはｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１２２】
任意の選択で、前記プロセッサ５００は、以下のように構成される。
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１２３】
任意の選択で、前記プロセッサ５００は、以下のように構成される。
ＤＭＲＳポートの各ＱＣＬグルーピングに含まれるＤＭＲＳポートを構成または通知し、および/または、
ＤＭＲＳポートの各ＱＣＬグルーピングに含まれるＤＭＲＳ ＣＤＭグループを構成または通知する。
【０１２４】
ここで、図７において、バスアーキテクチャは、任意の数の相互接続されたバスおよびブリッジを含み得、特に、プロセッサ５００によって表される１つ以上のプロセッサの様々な回路およびメモリ５２０によって表されるメモリをリンクし得る。さらに、周辺装置、電圧調整器、電力管回路などのさまざまな他の回路をリンクすることができ、これらはすべて当技術分野でよく知られており、したがって、本明細書では再度さらに説明しない。バスインターフェイスはインターフェイスを提供する。送受信機５１０は、複数の要素であり得る、すなわち、送信機および受信機を含み得、伝送媒体を介して他の様々なデバイスと通信するためのユニットを提供する。プロセッサ５００は、バスアーキテクチャ及び通常の処理を管理し、モリ５２０は、プロセッサ５００が動作する際に使用するデータを記憶することができる。
【０１２５】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１２６】
図８を参照すると、端末側では、本発明の実施形態によって提供される情報を決定するための装置は、メモリ６２０およびプロセッサ６００を含み、前記メモリはプログラム命令を格納するように構成され、前記プロセッサは前記メモリに格納されたプログラム命令を呼び出すように構成される。
前記プロセッサは送受信機６１０を介してネットワーク側から通知された復調参考信号（ＤＭＲＳ）ポートのＱＣＬグルーピング情報を受信する。
前記ＤＭＲＳポートのＱＣＬグルーピング情報に従って、端末が占有するＤＭＲＳポートの順序付けモードを決定する。
【０１２７】
なお、図８のメモリ６２０およびプロセッサ６００以外のデバイスは、本発明の実施形態によって提供される情報決定装置内のオプションのデバイスとして存在し、必須のデバイスではないことに留意されたい。
送受信機６１０は、プロセッサ６００の制御の下でデータを送受信するように構成される。
【０１２８】
任意の選択で、前記ＤＭＲＳポートのＱＣＬグルーピング情報は、ＤＭＲＳポートの各ＱＣＬグルーピングに含まれるＤＭＲＳポート、および/または、ＤＭＲＳポートの各ＱＣＬグルーピングに含まれるＤＭＲＳ ＣＤＭグループを含む。
【０１２９】
ここで、図８において、バスアーキテクチャは、任意の数の相互接続されたバスおよびブリッジを含み得、特に、プロセッサ６００によって表される１つ以上のプロセッサの様々な回路およびメモリ６２０によって表されるメモリをリンクし得る。さらに、周辺装置、電圧調整器、電力管回路などのさまざまな他の回路をリンクすることができ、これらはすべて当技術分野でよく知られており、したがって、本明細書では再度さらに説明しない。バスインターフェイスはインターフェイスを提供する。送受信機６１０は、複数の要素であり得る、すなわち、送信機および受信機を含み得、伝送媒体を介して様々な他のデバイスと通信するためのユニットを提供する。異なるユーザー機器の場合、ユーザーインターフェース６３０は、必要なデバイスと相互接続または外部接続できるインターフェースであってもよく、接続されたデバイスには、キーパッド、ディスプレイ、スピーカー、マイク、ジョイスティックなどが含まれるが、これらに限定されない。
プロセッサ６００は、バスアーキテクチャ及び通常の処理を管理し、モリ６２０は、プロセッサ６００が動作する際に使用するデータを記憶することができる。
【０１３０】
任意選択で、プロセッサ６００は、ＣＰＵ（中央処理装置）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ，特定用途向け集積回路）、ＦＰＧＡ（Ｆｉｅｌｄ−Ｐｒｏｇｒａｍｍａｂｌｅ Ｇａｔｅ Ａｒｒａｙ，フィールドプログラマブルゲートアレイ）またはＣＰＬＤ（ｃｏｍｐｌｅｘ Ｐｒｏｇｒａｍｍａｂｌｅ Ｌｏｇｉｃ Ｄｅｖｉｃｅ，複合プログラマブルロジックデバイス）であってもよい。
【０１３１】
ネットワーク側では、図９を参照すると、本発明の実施形態によって提供される別の情報を指示するための装置は、
復調参考信号（ＤＭＲＳ）ポートのＱＣＬグルーピング情報を決定するように構成された決定ユニット１１と、
前記ＱＣＬグルーピング情報を端末に通知するように構成された指示ユニット１２とを備える。
【０１３２】
任意の選択で、前記決定ユニット１１は、以下のように構成される。
使用可能なＤＭＲＳポート範囲を決定し、または使用可能なＤＭＲＳコード分割多重化（ＣＤＭ）グループの範囲を決定する。使用可能なＤＭＲＳポートのＱＣＬグルーピング情報を決定する。前記ＤＭＲＳ ＣＤＭグループはＤＭＲＳポートのＣＤＭグループである。
前記指示ユニット１２は、以下のように構成される。
ＤＭＲＳポートのＱＣＬグルーピング情報で端末を構成するか、またはＤＭＲＳポートのＱＣＬグルーピング情報を端末に通知する。
【０１３３】
任意の選択で、前記決定ユニット１１は、以下のように構成される。
使用可能なＤＭＲＳポート範囲を決定することは、具体的には、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定する。
スキーム１−ａ−２：ＤＭＲＳ構成タイプを満たす構成条件下でサポートされるすべてのＤＭＲＳポートとして、使用可能なＤＭＲＳポート範囲を決定する。
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定する。
スキーム１−ａ−４：上記いずれかのスキームで決定された使用可能なＤＭＲＳポート範囲から、使用可能なＤＭＲＳポート範囲として１つ以上のＤＭＲＳポートを選択する。
【０１３４】
任意の選択で、前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}である。
【０１３５】
任意の選択で、前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}である。
【０１３６】
任意の選択で、前記決定ユニット１１は、以下のように構成される。
使用可能なＤＭＲＳ ＣＤＭグループの範囲を決定することは、具体的には、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定する。
【０１３７】
任意の選択で、請求項６の方法によれば、前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}である。
【０１３８】
任意の選択で、請求項６の方法によれば、前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}である。
【０１３９】
任意の選択で、前記決定ユニット１１は、以下のように構成される。
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割する。
【０１４０】
任意の選択で、前記決定ユニット１１は、以下のように構成される。
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１４１】
任意の選択で、前記決定ユニット１１は、以下のように構成される。
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１４２】
任意の選択で、前記決定ユニット１１は、以下のように構成される。
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１４３】
任意の選択で、前記決定ユニット１１は、以下のように構成される。
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１４４】
任意の選択で、前記決定ユニット１１は、以下のように構成される。
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１４５】
任意の選択で、前記決定ユニット１１は、以下のように構成される。
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示す。
【０１４６】
任意の選択で、指示ユニット１２は、以下のように構成される。
ＤＭＲＳポートの各ＱＣＬグルーピングに含まれるＤＭＲＳポートを構成または通知し、および/または、
ＤＭＲＳポートの各ＱＣＬグルーピングに含まれるＤＭＲＳ ＣＤＭグループを構成または通知する。
【０１４７】
端末側では、図１０を参照すると、本発明の実施形態によって提供される別の情報を決定するための装置は、
ネットワーク側から通知された復調参考信号（ＤＭＲＳ）ポートのＱＣＬグルーピング情報を受信するように構成された受信ユニット２１と、
前記ＤＭＲＳポートのＱＣＬグルーピング情報に従って、端末によって占有されるＤＭＲＳポートの順序付けモードを決定するように構成された決定ユニット２２とを備える。
【０１４８】
任意の選択で、前記ＤＭＲＳポートのＱＣＬグルーピング情報は、ＤＭＲＳポートの各ＱＣＬグルーピングに含まれるＤＭＲＳポート、および/または、ＤＭＲＳポートの各ＱＣＬグルーピングに含まれるＤＭＲＳ ＣＤＭグループを含む。
【０１４９】
本発明の実施形態は、上述のコンピューティングデバイスによって使用されるコンピュータプログラム命令を格納するように構成されたコンピュータ記憶媒体を提供し、コンピュータプログラム命令は、情報指示または決定するための方法を実行するためのプログラムを含む。
【０１５０】
前記コンピュータ記憶媒体は、磁気メモリ（例えば、フロッピーディスク、ハードディスク、磁気テープ、磁気光学ディスク（ＭＯ）など）、光学メモリ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））などを含むがこれらに限定されない、コンピュータにアクセス可能な任意の使用可能な媒体またはデータ記憶装置であり得る。
【０１５１】
本発明の実施形態によって提供される方法は、端末装置に応用できるし、ネットワーク装置にも応用できる。
【０１５２】
また、本発明に係る実施形態において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【０１５３】
ネットワーク装置は、基地局（例えば、接続点）であることができ、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【０１５４】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたはいは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１５５】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム命令を実行し、フロー図における一つまたはいは複数のフローおよび／またはブロック図における一つまたはいは複数のブロックに指定する機能を実現する。
【０１５６】
これらのコンピュータプログラム命令は、又、コンピュータまたはいは他のプログラム可能なデータ処理装置を特定スキームで動作させるコンピュータ読取記憶装置に記憶できる。これによって、命令を含む装置は当該コンピュータ読取記憶装置内の命令を実行でき、フロー図における一つまたはいは複数のフローおよび／またはブロック図における一つまたはいは複数のブロックに指定する機能を実現する。
【０１５７】
これらコンピュータプログラム命令はさらに、コンピュータまたはいは他のプログラム可能なデータ処理装置設備に実装もできる。コンピュータプログラム命令が実装されたコンピュータまたはいは他のプログラム可能設備は、一連の操作ステップを実行することによって、関連の処理を実現し、コンピュータまたはいは他のプログラム可能な設備において実行される命令によって、フロー図における一つまたはいは複数のフローおよび／またはブロック図における一つまたはいは複数のブロックに指定する機能を実現する。
【０１５８】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０１５９】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１６０】
１１  決定ユニット
１２  指示ユニット
２１  受信ユニット
２２  決定ユニット
５００  プロセッサ
５１０  送受信機
５２０  メモリ
６００  プロセッサ
６１０  送受信機
６２０  メモリ
６３０  ユーザーインターフェース
【図１】
2021510275.tif 000003
【図２】
2021510275.tif 000004
【図３】
2021510275.tif 000005
【図４】
2021510275.tif 000006
【図５】
2021510275.tif 000007
【図６】
2021510275.tif 000008
【図７】
2021510275.tif 000009
【図８】
2021510275.tif 000010
【図９】
2021510275.tif 000011
【図１０】
2021510275.tif 000012
【手続補正書】
【提出日】令和2年7月10日(2020.7.10)
【手続補正１】
【補正対象書類名】明細書
【補正対象項目名】０１３７
【補正方法】変更
【補正の内容】
【０１３７】
任意の選択で、前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}である。
【手続補正２】
【補正対象書類名】明細書
【補正対象項目名】０１３８
【補正方法】変更
【補正の内容】
【０１３８】
任意の選択で、前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}である。
【手続補正３】
【補正対象書類名】特許請求の範囲
【補正対象項目名】全文
【補正方法】変更
【補正の内容】
【特許請求の範囲】
【請求項１】
復調参考信号（ＤＭＲＳ）ポートのＱＣＬ（Ｑｕａｓｉ−Ｃｏ−Ｌｏｃａｔｉｏｎ）グルーピング情報を決定するステップと、
前記ＱＣＬグルーピング情報を端末に通知するステップとを備えることを特徴とする情報を指示するための方法。
【請求項２】
前記ＤＭＲＳポートのＱＣＬグルーピング情報を決定することは、
使用可能なＤＭＲＳポート範囲を決定し、または使用可能なＤＭＲＳコード分割多重化（ＣＤＭ）グループの範囲を決定し、使用可能なＤＭＲＳポートのＱＣＬグルーピング情報を決定することを含み、
前記ＤＭＲＳ ＣＤＭグループはＤＭＲＳポートのＣＤＭグループであり、
前記ＱＣＬグルーピング情報を端末に通知することは、
ＤＭＲＳポートのＱＣＬグルーピング情報で端末を構成するか、またはＤＭＲＳポートのＱＣＬグルーピング情報を端末に通知することを含むことを特徴とする請求項１に記載の情報を指示するための方法。
【請求項３】
前記使用可能なＤＭＲＳポート範囲を決定することは、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定し、
スキーム１−ａ−２：ＤＭＲＳ構成タイプを満たす構成条件下でサポートされるすべてのＤＭＲＳポートとして、使用可能なＤＭＲＳポート範囲を決定し、
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定し、
スキーム１−ａ−４：上記いずれかのスキームで決定された使用可能なＤＭＲＳポート範囲から、使用可能なＤＭＲＳポート範囲として１つ以上のＤＭＲＳポートを選択し、
前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}であり、
前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}であることを特徴とする請求項２に記載の情報を指示するための方法。
【請求項４】
前記使用可能なＤＭＲＳ ＣＤＭグループの範囲を決定することは、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定し、
前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}であり、
前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}であることを特徴とする請求項２に記載の情報を指示するための方法。
【請求項５】
前記使用可能なＤＭＲＳポートのＱＣＬグルーピング情報を決定することは、
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割することを特徴とする請求項２から請求項４のいずれか一項に記載の情報を指示するための方法。
【請求項６】
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、
使用可能なＤＭＲＳ ＣＤＭグループに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、
使用可能なＤＭＲＳ ＣＤＭグループに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項２から請求項４のいずれか一項に記載の情報を指示するための方法。
【請求項７】
ネットワーク側から送信された通知を受信するステップと、
前記通知を使用して復調参考信号（ＤＭＲＳ）ポートのＱＣＬ（Ｑｕａｓｉ−Ｃｏ−Ｌｏｃａｔｉｏｎ）グルーピング情報を決定するステップとを備えることを特徴とする情報を決定するための方法。
【請求項８】
復調参考信号（ＤＭＲＳ）ポートのＱＣＬグルーピング情報を決定するように構成された決定ユニットと、
前記ＱＣＬグルーピング情報を端末に通知するように構成された指示ユニットとを備えることを特徴とする情報を指示するための装置。
【請求項９】
前記決定ユニットは、使用可能なＤＭＲＳポート範囲を決定し、または使用可能なＤＭＲＳコード分割多重化（ＣＤＭ）グループの範囲を決定し、使用可能なＤＭＲＳポートのＱＣＬグルーピング情報を決定することを含み、
前記ＤＭＲＳ ＣＤＭグループはＤＭＲＳポートのＣＤＭグループであり、
また前記決定ユニットは、
ＤＭＲＳポートのＱＣＬグルーピング情報で端末を構成するか、またはＤＭＲＳポートのＱＣＬグルーピング情報を端末に通知することを特徴とする請求項８に記載の情報を指示するための装置。
【請求項１０】
前記決定ユニットが使用可能なＤＭＲＳポート範囲を決定することは、以下のスキームのうちの１つを含む：
スキーム１−ａ−１：ＤＭＲＳ構成タイプとＤＭＲＳシンボルの最大数を満たす構成条件下でサポートされるすべてのＤＭＲＳポートとして、使用可能なＤＭＲＳポート範囲を決定し、
スキーム１−ａ−２：ＤＭＲＳ構成タイプを満たす構成条件下でサポートされるすべてのＤＭＲＳポートとして、使用可能なＤＭＲＳポート範囲を決定し、
スキーム１−ａ−３：ＤＭＲＳ構成タイプとＤＭＲＳシンボルの最大数を満たす構成条件、および基地局と端末でサポートできるレイヤー数を満たす構成条件下でサポートされるすべてのＤＭＲＳポートとして、使用可能なＤＭＲＳポート範囲を決定し、
スキーム１−ａ−４：上記いずれかのスキームで決定された使用可能なＤＭＲＳポート範囲から、使用可能なＤＭＲＳポート範囲として１つ以上のＤＭＲＳポートを選択し、
前記スキーム１−ａ−１が採用される場合、
ＤＭＲＳ構成タイプが第１のタイプであり、ＤＭＲＳシンボルの最大数が１の場合、使用可能なＤＭＲＳポート範囲は、{１０００−１００３}であり、
ＤＭＲＳ構成タイプが第１のタイプであり、ＤＭＲＳシンボルの最大数が２の場合、使用可能なＤＭＲＳポート範囲は、{１０００−１００７}であり、
ＤＭＲＳ構成タイプが第２のタイプであり、ＤＭＲＳシンボルの最大数が１の場合、使用可能なＤＭＲＳポート範囲は、{１０００−１００５}であり、
ＤＭＲＳ構成タイプが第２のタイプであり、ＤＭＲＳシンボルの最大数が２の場合、使用可能なＤＭＲＳポート範囲は、{１０００−１０１１}であり、
前記スキーム１−ａ−２が採用される場合、
ＤＭＲＳ構成タイプが第１のタイプであるとき、使用可能なＤＭＲＳポート範囲は、{１０００−１００７}であり、
ＤＭＲＳ構成タイプが第２のタイプであるとき、使用可能なＤＭＲＳポート範囲は、{１０００−１０１１}であることを特徴とする請求項９に記載の情報を指示するための装置。
【請求項１１】
前記決定ユニットが前記使用可能なＤＭＲＳ ＣＤＭグループの範囲を決定することは、以下のスキームのうちの１つを含む：
スキーム１−ｂ−１：ＤＭＲＳ構成タイプを満たす構成条件下でサポートされるすべてのＤＭＲＳ ＣＤＭグループとして、使用可能なＤＭＲＳ ＣＤＭグループの範囲を決定し、
スキーム１−ｂ−２：ＤＭＲＳ構成タイプを満たす構成条件下でサポートされるすべてのＤＭＲＳ ＣＤＭグループの１つ以上として、使用可能なＤＭＲＳ ＣＤＭグループの範囲を決定し、
前記スキーム１−ｂ−１が採用される場合、
ＤＭＲＳ構成タイプが第１のタイプであるとき、使用可能なＤＭＲＳ ＣＤＭグループの範囲は{０，１}であり、
ＤＭＲＳ構成タイプが第２のタイプであるとき、使用可能なＤＭＲＳ ＣＤＭグループの範囲は{０，１，２}であり、
前記スキーム１−ｂ−２が採用される場合、
ＤＭＲＳ構成タイプが第１のタイプであるとき、使用可能なＤＭＲＳ ＣＤＭグループは、{０，１}、または{０}または{１}であり、
ＤＭＲＳ構成タイプが第２のタイプであるとき、使用可能なＤＭＲＳ ＣＤＭグループは、{０，１，２}または{０，１}または{１，２}または{０，２}または{０}または{１}または{２}であることを特徴とする請求項９に記載の情報を指示するための装置。
【請求項１２】
前記決定ユニットが前記使用可能なＤＭＲＳポートのＱＣＬグルーピング情報を決定することは、
次の原則に従って、ＤＭＲＳ ＱＣＬの可能なすべてのグルーピングスキームを決定し、
決定された使用可能なＤＭＲＳ ＣＤＭグループを基本単位としてＱＣＬグルーピングを実行し、
いずれか１つの使用可能なＤＭＲＳポート、またはいずれか１つの使用可能なＤＭＲＳ ＣＤＭグループを到ＤＭＲＳポートのＱＣＬグルーピングに分割することを特徴とする請求項９から請求項１１のいずれかい一項に記載の情報を指示するための装置。
【請求項１３】
前記決定ユニットは、次のように決定する：
ＤＭＲＳ構成タイプが第１のタイプであるとき、使用可能なＤＭＲＳポート範囲が{１０００−１００３}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３}、または
ｄｍｒｓ−ｇｒｏｕｐ２＝{１０００，１００１}，ｄｍｒｓ−ｇｒｏｕｐ１＝{１００２，１００３}、
１つのＱＣＬグループがある場合、
ｄｍｒｓ−ｇｒｏｕｐ１＝{１０００，１００１，１００２，１００３}，ｄｍｒｓ−ｇｒｏｕｐ２＝{}、または
ｄｍｒｓ−ｇｒｏｕｐ２＝{１０００，１００１，１００２，１００３}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、前記決定ユニットは、次のように決定する：
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳポート範囲が{１０００−１００７}であれば、
２つのＱＣＬグループがある場合、
ｄｍｒｓ−ｇｒｏｕｐ１＝{１０００，１００１，１００４，１００５}，ｄｍｒｓ−ｇｒｏｕｐ２＝{１００２，１００３，１００６，１００７}、または
ｄｍｒｓ−ｇｒｏｕｐ２＝{１０００，１００１，１００４，１００５}，ｄｍｒｓ−ｇｒｏｕｐ１＝{１００２，１００３，１００６，１００７}、
１つのＱＣＬグループがある場合、
ｄｍｒｓ−ｇｒｏｕｐ１＝{１０００，１００１，１００２，１００３，１００４，１００５，１００６，１００７}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、前記決定ユニットは、次のように決定する：
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳポート範囲が{１０００−１００５}であれば、
２つのＱＣＬグループがある場合、
ｄｍｒｓ−ｇｒｏｕｐ１＝{１０００，１００１}，ｄｍｒｓ−ｇｒｏｕｐ２＝{１００２，１００３，１００４，１００５}、または
ｄｍｒｓ−ｇｒｏｕｐ２＝{１０００，１００１}，ｄｍｒｓ−ｇｒｏｕｐ１＝{１００２，１００３，１００４，１００５}、または
ｄｍｒｓ−ｇｒｏｕｐ１＝{１０００，１００１，１００２，１００３}，ｄｍｒｓ−ｇｒｏｕｐ２＝{１００４，１００５}、または
ｄｍｒｓ−ｇｒｏｕｐ２＝{１０００，１００１，１００２，１００３}，ｄｍｒｓ−ｇｒｏｕｐ１＝{１００４，１００５}、または
ｄｍｒｓ−ｇｒｏｕｐ１＝{１００２，１００３}，ｄｍｒｓ−ｇｒｏｕｐ２＝{１０００，１００１，１００４，１００５}、または
ｄｍｒｓ−ｇｒｏｕｐ２＝{１００２，１００３}，ｄｍｒｓ−ｇｒｏｕｐ１＝{１０００，１００１，１００４，１００５}、
１つのＱＣＬグループがある場合、
ｄｍｒｓ−ｇｒｏｕｐ１＝{１０００，１００１，１００２，１００３，１００４，１００５}，ｄｍｒｓ−ｇｒｏｕｐ２＝{}、または
ｄｍｒｓ−ｇｒｏｕｐ２＝{１０００，１００１，１００２，１００３，１００４，１００５}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、前記決定ユニットは、次のように決定する：
使用可能なＤＭＲＳポートに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳポート範囲が{１０００−１０１１}であれば、
２つのＱＣＬグループがある場合、
ｄｍｒｓ−ｇｒｏｕｐ１＝{１０００，１００１，１００６，１００７}，ｄｍｒｓ−ｇｒｏｕｐ２＝{１００２，１００３，１００８，１００９，１００４，１００５，１０１０，１０１１}、または
ｄｍｒｓ−ｇｒｏｕｐ２＝{１０００，１００１，１００６，１００７}，ｄｍｒｓ−ｇｒｏｕｐ１＝{１００２，１００３，１００８，１００９，１００４，１００５，１０１０，１０１１}、または
ｄｍｒｓ−ｇｒｏｕｐ１＝{１０００，１００１，１００６，１００７，１００２，１００３，１００８，１００９}，ｄｍｒｓ−ｇｒｏｕｐ２＝{１００４，１００５，１０１０，１０１１}、または
ｄｍｒｓ−ｇｒｏｕｐ２＝{１０００，１００１，１００６，１００７，１００２，１００３，１００８，１００９}，ｄｍｒｓ−ｇｒｏｕｐ１＝{１００４，１００５，１０１０，１０１１}、または
ｄｍｒｓ−ｇｒｏｕｐ１＝{１００２，１００３，１００８，１００９}，ｄｍｒｓ−ｇｒｏｕｐ２＝{１０００，１００１，１００６，１００７，１００４，１００５，１０１０，１０１１}、または
ｄｍｒｓ−ｇｒｏｕｐ２＝{１００２，１００３，１００８，１００９}，ｄｍｒｓ−ｇｒｏｕｐ１＝{１０００，１００１，１００６，１００７，１００４，１００５，１０１０，１０１１}、
１つのＱＣＬグループがある場合、
ｄｍｒｓ−ｇｒｏｕｐ１＝{１０００，１００１，１００２，１００３，１００４，１００５，１００６，１００７，１００８，１００９，１０１０，１０１１}，ｄｍｒｓ−ｇｒｏｕｐ２＝{}、または
ｄｍｒｓ−ｇｒｏｕｐ２＝{１０００，１００１，１００２，１００３，１００４，１００５，１００６，１００７，１００８，１００９，１０１０，１０１１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、前記決定ユニットは、次のように決定する：
使用可能なＤＭＲＳ ＣＤＭグループに対してＱＣＬグルーピングを実行する場合、使用可能なＤＭＲＳポートのＱＣＬグルーピング情報を決定することは、
ＤＭＲＳ構成タイプが第１のタイプであるとき、使用可能なＤＭＲＳ ＣＤＭグループが{０，１}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示し、
または、前記決定ユニットは、次のように決定する：
使用可能なＤＭＲＳ ＣＤＭグループに対してＱＣＬグルーピングを実行する場合、使用可能なＤＭＲＳポートのＱＣＬグルーピング情報を決定することは、
ＤＭＲＳ構成タイプが第２のタイプであるとき、使用可能なＤＭＲＳ ＣＤＭグループが{０，１，３}であれば、
２つのＱＣＬグループがある場合、
ｄｍｒｓ−ｇｒｏｕｐ１＝{ＤＭＲＳ ＣＤＭグループ０}，ｄｍｒｓ−ｇｒｏｕｐ２＝{ＤＭＲＳ ＣＤＭグループ１，ＤＭＲＳ ＣＤＭグループ２}、または
ｄｍｒｓ−ｇｒｏｕｐ２＝{ＤＭＲＳ ＣＤＭグループ０}，ｄｍｒｓ−ｇｒｏｕｐ１＝{ＤＭＲＳ ＣＤＭグループ１，ＤＭＲＳ ＣＤＭグループ２}、または
ｄｍｒｓ−ｇｒｏｕｐ１＝{ＤＭＲＳ ＣＤＭグループ１}，ｄｍｒｓ−ｇｒｏｕｐ２＝{ＤＭＲＳ ＣＤＭグループ０， ＤＭＲＳ ＣＤＭグループ２}、または
ｄｍｒｓ−ｇｒｏｕｐ２＝{ＤＭＲＳ ＣＤＭグループ１}，ｄｍｒｓ−ｇｒｏｕｐ１＝{ＤＭＲＳ ＣＤＭグループ０， ＤＭＲＳ ＣＤＭグループ２}、または
ｄｍｒｓ−ｇｒｏｕｐ１＝{ＤＭＲＳ ＣＤＭグループ２}，ｄｍｒｓ−ｇｒｏｕｐ２＝{ＤＭＲＳ ＣＤＭグループ０， ＤＭＲＳ ＣＤＭグループ１}、または
ｄｍｒｓ−ｇｒｏｕｐ２＝{ＤＭＲＳ ＣＤＭグループ２}，ｄｍｒｓ−ｇｒｏｕｐ１＝{ＤＭＲＳ ＣＤＭグループ０， ＤＭＲＳ ＣＤＭグループ１}、
１つのＱＣＬグループがある場合、
ｄｍｒｓ−ｇｒｏｕｐ１＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ２＝{}、または
ｄｍｒｓ−ｇｒｏｕｐ２＝{ＤＭＲＳ ＣＤＭグループ０，ＤＭＲＳ ＣＤＭグループ１，ＤＭＲＳ ＣＤＭグループ２}，ｄｍｒｓ−ｇｒｏｕｐ１＝{}、
ここで、ｄｍｒｓ−ｇｒｏｕｐ１は第１のＱＣＬグループを示し、ｄｍｒｓ−ｇｒｏｕｐ２は第２のＱＣＬグループを示し、{}は空または存在しない集合を示すことを特徴とする請求項９から請求項１１のいずれか一項に記載の情報を指示するための装置。
【請求項１４】
ネットワーク側から送信された通知を受信するように構成された受信ユニットと、
前記通知を使用して復調参考信号（ＤＭＲＳ）ポートのＱＣＬグルーピング情報を決定するように構成された決定ユニットとを備えることを特徴とする情報を決定するための装置。
【国際調査報告】
2021510275.tif 000013
2021510275.tif 000014
2021510275.tif 000015
2021510275.tif 000016